(57)【要約】【課題】ユーザー認証に必要なパスワードを忘れたユーザーの利便性を向上させることが可能な表示入力装置を提供する。【解決手段】操作パネル８（表示入力装置）は、認証情報を記憶する記憶部１２２と、識別情報の入力を受け付ける操作表示部８１と、識別情報と認証情報とに基づきユーザー認証を行うパネル制御部１２０と、を備える。そして、操作表示部８１は、ユーザー名が入力されているとき、入力されたユーザー名に対応する所定条件が満たされると、パスワードを再登録するための操作を受け付ける第１モード、および、所定機能を使用するための操作は受け付ける一方で所定機能以外の機能を使用するための操作は受け付けない第２モード、のうち予め設定されたモードに移行する。【選択図】図３
2015069322.tif 000002
【特許請求の範囲】
【請求項１】
画像形成装置に設置される表示入力装置であって、
ユーザー情報およびパスワードを含む予め登録された情報でありユーザー認証を行うための情報である認証情報を記憶する記憶部と、
前記ユーザー情報および前記パスワードを含む識別情報の入力を受け付けるための受付画面を表示し、前記ユーザー認証を受けるユーザーから前記識別情報の入力を受け付ける操作表示部と、
前記操作表示部に前記識別情報が入力されると、前記識別情報と前記認証情報とに基づき前記ユーザー認証を行い、認証できたユーザーに前記画像形成装置の使用許可を与える認証部と、を備え、
前記記憶部は、予め登録された所定条件を前記ユーザー情報に対応付けて記憶し、
前記操作表示部は、前記ユーザー情報が入力されているとき、入力された前記ユーザー情報に対応する前記所定条件が満たされると、前記パスワードを再登録するための操作を受け付ける第１モード、および、前記画像形成装置に搭載された機能のうち所定機能を使用するための操作は受け付ける一方で前記所定機能以外の機能を使用するための操作は受け付けない第２モード、のうち予め設定されたモードに移行することを特徴とする表示入力装置。
【請求項２】
前記記憶部は、予め登録された登録画像を前記ユーザー情報に対応付けて記憶し、
前記操作表示部は、前記登録画像を含む複数の画像を選択肢として表示し、前記ユーザー情報が入力された状態で前記登録画像を選択する操作が行われると、前記所定条件が満たされたとして、前記第１モードおよび前記第２モードのうち予め設定されたモードに移行することを特徴とする請求項１に記載の表示入力装置。
【請求項３】
前記操作表示部は、前記受付画面の表示中に、前記受付画面から前記複数の画像を配した画面に表示を切り替えるための操作を受け付けることを特徴とする請求項２に記載の表示入力装置。
【請求項４】
前記操作表示部は、タッチパネル付きの表示部を含み、
前記記憶部は、予め登録された登録タッチジェスチャーを前記ユーザー情報に対応付けて記憶し、
前記操作表示部は、前記ユーザー情報が入力された状態で前記登録タッチジェスチャーが前記タッチパネルに対して行われると、前記所定条件が満たされたとして、前記第１モードおよび前記第２モードのうち予め設定されたモードに移行することを特徴とする請求項１に記載の表示入力装置。
【請求項５】
前記操作表示部は、前記第１モードおよび前記第２モードのうち前記所定条件が満たされたときに移行するモードを設定するための操作を受け付け、
前記記憶部は、前記第１モードおよび前記第２モードのうち前記操作表示部が受け付けたモードを設定モードとして記憶し、
前記操作表示部は、前記所定条件が満たされたとき、前記第１モードおよび前記第２モードのうち前記設定モードとして前記記憶部に記憶されたモードに移行することを特徴とする請求項１〜４のいずれか１項に記載の表示入力装置。
【請求項６】
請求項１〜５のいずれか１項に記載の表示入力装置を備えた画像形成装置。
【発明の詳細な説明】
【技術分野】
【０００１】
本発明は、表示入力装置およびそれを備えた画像形成装置に関する。
【背景技術】
【０００２】
従来、表示入力装置として、複合機などの画像形成装置に設置される操作パネルが知られている。このような操作パネルは、コピー機能やファックス機能など画像形成装置に搭載された機能を使用するための操作を受け付ける。たとえば、操作パネルは、コピーやファックスなどのジョブを開始するための操作や、ジョブに関する設定値を設定変更するための操作を受け付ける。
【０００３】
ここで、画像形成装置には、不正使用などを防止するため、ユーザー認証機能（ログイン機能）を搭載したものがある（たとえば、特許文献１参照）。このような画像形成装置では、ユーザー認証を行うための認証情報（ユーザー名およびパスワード）が予め登録される。
【０００４】
ユーザー認証機能が搭載された画像形成装置の使用を所望するユーザーは、まず、ユーザー認証を受けるため、自身の識別情報（ユーザー名およびパスワード）を入力する。このときには、操作パネルが識別情報の入力の受け付けを行う。操作パネルに識別情報が入力されると、ユーザー認証が行われ、ユーザーが特定できればログイン状態となる。たとえば、ユーザー認証では、識別情報と認証情報とが比較され、識別情報と認証情報とが合致した場合に、ユーザーが特定できたと判断される。そして、操作パネルは、ログイン状態になると、画像形成装置に搭載された機能を使用するための操作を受け付ける。すなわち、ユーザー認証を受けたユーザーは、ジョブを開始したり、ジョブに関する設定値を設定変更したりすることができる（ユーザー認証を受けたユーザーに画像形成装置の使用許可が与えられる）。
【先行技術文献】
【特許文献】
【０００５】
【特許文献１】特開２０１３−１３１８１８号公報
【発明の概要】
【発明が解決しようとする課題】
【０００６】
ユーザー認証機能を搭載する画像形成装置では、ユーザー認証を行い、ユーザーが認証できた場合にのみログイン状態となる。これにより、予め認証情報を登録していないユーザー（画像形成装置の使用権限が無いユーザー）に画像形成装置が不正使用されるのを抑制することができる。
【０００７】
たとえば、ユーザー認証に必要なパスワードは、画像形成装置の管理者からユーザーに発行される。しかし、ユーザーによっては、自身に発行されたパスワードを忘れる場合がある。この場合、画像形成装置を使用するためには、画像形成装置の管理者にパスワードの再発行を依頼しなければならず、ユーザーにとっては煩わしく利便性が悪い。
【０００８】
本発明は、上記課題を解決するためになされたものであり、ユーザー認証に必要なパスワードを忘れたユーザーの利便性を向上させることが可能な表示入力装置およびそれを備えた画像形成装置を提供することを目的とする。
【課題を解決するための手段】
【０００９】
上記目的を達成するために、本発明の表示入力装置は、画像形成装置に設置される表示入力装置であって、ユーザー情報およびパスワードを含む予め登録された情報でありユーザー認証を行うための情報である認証情報を記憶する記憶部と、ユーザー情報およびパスワードを含む識別情報の入力を受け付けるための受付画面を表示し、ユーザー認証を受けるユーザーから識別情報の入力を受け付ける操作表示部と、操作表示部に識別情報が入力されると、識別情報と認証情報とに基づきユーザー認証を行い、認証できたユーザーに画像形成装置の使用許可を与える認証部と、を備える。そして、記憶部は、予め登録された所定条件をユーザー情報に対応付けて記憶し、操作表示部は、ユーザー情報が入力されているとき、入力されたユーザー情報に対応する所定条件が満たされると、パスワードを再登録するための操作を受け付ける第１モード、および、画像形成装置に搭載された機能のうち所定機能を使用するための操作は受け付ける一方で所定機能以外の機能を使用するための操作は受け付けない第２モード、のうち予め設定されたモードに移行する。
【００１０】
本発明の構成では、画像形成装置を使用するとき（ユーザー認証を受けるとき）、パスワードを入力しなくても、ユーザー情報を入力し、そのユーザー情報に対応付けられた所定条件を満たす操作を行うことにより、操作表示部が第１モードまたは第２モードに移行する。したがって、パスワードを忘れても、画像形成装置の管理者にパスワードの再発行を依頼することなく、画像形成装置を使用することができる。具体的には、第１モードに移行した場合には、ユーザー自身でパスワードを再登録することができるので、その再登録したパスワードでユーザー認証を再度受けることにより、画像形成装置に搭載された全ての機能の使用が可能になる。また、第２モードに移行した場合には、画像形成装置に搭載された機能のうち所定機能の使用が可能になる。これにより、パスワードを忘れたユーザーの利便性が向上する。
【発明の効果】
【００１１】
本発明では、ユーザー認証に必要なパスワードを忘れたユーザーの利便性を向上させることができる。
【図面の簡単な説明】
【００１２】
【図１】本発明の一実施形態による操作パネルを備える複合機の概略図
【図２】本発明の一実施形態による操作パネルの平面図
【図３】本発明の一実施形態による操作パネルを備える複合機のハードウェア構成を説明するためのブロック図
【図４】本発明の一実施形態による操作パネルに表示されるログイン画面の一例を示した図
【図５】本発明の一実施形態による操作パネルに表示されるキーボード画面の一例を示した図
【図６】本発明の一実施形態による操作パネルに表示されるアイコン登録画面の一例を示した図
【図７】本発明の一実施形態による操作パネルに表示されるアイコン選択画面の一例を示した図
【図８】本発明の一実施形態による操作パネルに表示される再登録画面の一例を示した図
【図９】本発明の一実施形態による操作パネルに表示されるモード設定画面の一例を示した図
【図１０】本発明の一実施形態による操作パネルを備える複合機において行われるユーザー認証の制御の流れについて説明するためのフローチャート図
【図１１】本発明の一実施形態による操作パネルを備える複合機において行われるユーザー認証の制御の流れについて説明するためのフローチャート図
【図１２】本発明の一実施形態による操作パネルを備える複合機において行われる条件満足判定処理の流れについて説明するためのフローチャート図
【図１３】本発明の一実施形態による操作パネルを備える複合機において行われる条件満足判定処理の流れについて説明するためのフローチャート図
【発明を実施するための形態】
【００１３】
本発明の一実施形態について、プリント機能、コピー機能および送信機能（たとえば、ファックス機能）など複数の機能を搭載する複合機を例にとって説明する。なお、このような複合機では、プリントジョブ、コピージョブおよび送信ジョブ（たとえば、ファックスジョブ）など複数種のジョブの実行が可能である。
【００１４】
（複合機の全体構成）
図１に示すように、複合機１００は、画像読取部１および印刷部２を備える。画像読取部１は、原稿を読み取って画像データを生成する。印刷部２は、画像データ（たとえば、画像読取部１による原稿の読み取りによって得られた画像データ）に基づく画像を用紙Ｐに印刷して出力する。
【００１５】
印刷部２は、給紙部３、用紙搬送部４、画像形成部５および定着部６で構成される。給紙部３は、ピックアップローラー３１および給紙ローラー対３２を含み、用紙カセット３３に収容された用紙Ｐを用紙搬送路２０に供給する。用紙搬送部４は、複数の搬送ローラー対４１を含み、用紙搬送路２０に沿って用紙Ｐを搬送し、印刷済みの用紙Ｐを排出トレイ４２に排出する。
【００１６】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。定着部６は、加熱ローラー６１および加圧ローラー６２を含み、用紙Ｐに転写されたトナー像を加熱および加圧して定着させる。
【００１７】
また、複合機１００は、図２に示すような操作パネル８を備える。操作パネル８は、複合機１００の正面側（たとえば、図１の破線で示された箇所）に配置される。なお、操作パネル８は、本発明の「表示入力装置」に相当する。
【００１８】
操作パネル８には、操作表示部８１が設けられる。操作表示部８１は、液晶表示パネル８２（本発明の「表示部」に相当）および液晶表示パネル８２の表示面上に配置されたタッチパネル８３を含む。そして、操作表示部８１は、各種設定を受け付けるためのソフトキーやメッセージなどを液晶表示パネル８２に表示し、タッチパネル８３を介して各種設定を受け付ける。なお、操作パネル８には、スタートキー、ストップキー、リセットキーおよびテンキーなど種々のハードキー８４も設けられる。
【００１９】
（複合機のハードウェア構成）
図３に示すように、複合機１００は、主制御部１１０を備える。主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、制御用のプログラムおよびデータを記憶する。そして、主制御部１１０は、記憶部１１３に記憶されたプログラムおよびデータに基づき、複合機１００の各部の動作を制御する。
【００２０】
具体的には、主制御部１１０は、画像読取部１および印刷部２（給紙部３、用紙搬送部４、画像形成部５および定着部６）と接続される。そして、主制御部１１０は、画像読取部１の読取動作を制御するとともに、印刷部２の印刷動作を制御する。
【００２１】
また、主制御部１１０は、パネル制御部１２０と接続される。パネル制御部１２０は、ＣＰＵ１２１および記憶部１２２を含み、主制御部１１０から指示を受け、操作パネル８の表示動作を制御したり、操作パネル８に対して行われた操作を検知したりする。たとえば、パネル制御部１２０は、液晶表示パネル８２にソフトキーを表示させ、そのソフトキーに対してタッチ操作が行われると、タッチパネル８３の出力に基づきタッチ操作を受けたソフトキーを検知する。また、パネル制御部１２０は、ハードキー８４を押下する押下操作が行われると、ハードキー８４の押下によりオンオフが切り替わるスイッチの出力に基づき押下操作を受けたハードキー８４を検知する。そして、パネル制御部１２０は、操作パネル８に対して行われた操作を検知し、その検知結果を主制御部１１０に送信する。これにより、操作パネル８に対して行われた操作を主制御部１１０が認識する。
【００２２】
また、主制御部１１０は、通信部１３０と接続される。通信部１３０は、外部のコンピューター２００とネットワークを介して通信可能に接続される。これにより、コンピューター２００から送信された画像データに基づき印刷を行うことができるとともに、画像読取部１による原稿の読み取りによって得られた画像データをコンピューター２００に送信することもできる。また、通信部１３０にモデムなどを内蔵してもよい。この場合には、電話回線などのネットワークを介して、外部のファクシミリ３００とファックス通信することができる。
【００２３】
（ユーザー認証の概要）
複合機１００は、ユーザー認証機能（ログイン機能）を搭載し、複合機１００の使用を所望するユーザーに対してユーザー認証を行う。そして、複合機１００は、ユーザー認証を受けたユーザーを認証できれば、ログイン状態となる。言い換えると、ユーザー認証を受けたユーザーに複合機１００の使用許可を与える。
【００２４】
このような複合機１００では、ユーザー認証を行うための認証情報が予め登録される。認証情報というのは、ユーザー名およびパスワードなどを含む情報であり、たとえば、記憶部１２２に記憶される。なお、ユーザー名は本発明の「ユーザー情報」の一例であり、ユーザー名に代えて部署名や社員番号などが登録される場合もあるし、任意の記号列（文字列や数字列）が登録される場合もある。そして、ユーザー認証を受けるユーザーは、操作パネル８を操作し、ユーザー名およびパスワードを含む識別情報を入力する。
【００２５】
たとえば、パネル制御部１２０は、ログアウト状態のとき、ユーザーから識別情報の入力を受け付けるためのログイン画面ＰＳ１（図４参照）を操作表示部８１に表示させる。なお、ログイン画面ＰＳ１は、本発明の「受付画面」に相当する。このログイン画面ＰＳ１には、入力欄Ｃ１１およびＣ１２が配される。操作表示部８１は、ユーザー名が入力されると、そのユーザー名を入力欄Ｃ１１に表示し、パスワードが入力されると、そのパスワードを入力欄Ｃ１２に表示する。
【００２６】
また、ログイン画面ＰＳ１には、キーＫ１１およびＫ１２が配される。操作表示部８１は、キーＫ１１またはＫ１２に対してタッチ操作が行われると、ソフトウェアキーボードが配されたキーボード画面ＰＳ２（図５参照）を表示する。なお、キーＫ１１に対するタッチ操作で表示するキーボード画面ＰＳ２は、識別情報としてのユーザー名の入力を受け付けるための画面であり、キーＫ１２に対するタッチ操作で表示するキーボード画面ＰＳ２は、識別情報としてのパスワードの入力を受け付けるための画面である。
【００２７】
さらに、ログイン画面ＰＳ１には、ログインキーＫ１３が配される。そして、パネル制御部１２０は、識別情報（ユーザー名およびパスワード）が入力された後、ログインキーＫ１３に対するタッチ操作を検知すると、認証情報と識別情報とに基づきユーザー認証を行う。この構成では、パネル制御部１２０が本発明の「認証部」に相当する。
【００２８】
パネル制御部１２０は、ユーザー認証を行うとき、識別情報と認証情報とを比較することにより、ユーザーの認証が可能か否かを判断する。たとえば、パネル制御部１２０は、識別情報と認証情報とが合致すれば、ユーザーの認証が可能と判断する。そして、パネル制御部１２０は、ユーザーを認証できた場合、ユーザー認証を受けたユーザーに複合機１００の使用許可を与える。言い換えると、パネル制御部１２０は、操作パネル８をログイン状態にする（通常ログイン）。なお、操作パネル８がログイン状態になると、コピー機能やファックス機能など複合機１００に搭載された全ての機能の使用が可能になる。すなわち、複合機１００にて実行可能なジョブを開始するための操作や、ジョブに関する設定値を設定変更するための操作が可能になる。ただし、複合機１００の管理者にのみ使用権限が与えられる機能があってもよい。
【００２９】
（ユーザー認証においてパスワードが入力されなかった場合の処理）
ユーザー認証機能を搭載する複合機１００では、複合機１００を使用するときに識別情報（ユーザー名およびパスワード）の入力が必要となる。しかし、ユーザーによっては、自身のパスワードを忘れる場合がある。この場合、複合機１００を使用するためには、複合機１００の管理者にパスワードの再発行を依頼しなければならないので、ユーザーにとっては煩わしく利便性が悪い。
【００３０】
そこで、記憶部１２２は、予め登録された所定条件を認証情報としてのユーザー名に対応付けて記憶する。そして、パネル制御部１２０は、識別情報としてのユーザー名が入力されているとき、入力されたユーザー名に対応する所定条件が満たされたか否かを判断し、所定条件が満たされると、第１モードおよび第２モードのうち予め設定されたモードに移行する。なお、第１モードに移行する場合、パネル制御部１２０は、記憶部１２２に記憶されたパスワード（現時点で入力されているユーザー名に対応するパスワード）をリセットし、パスワードを再登録するための操作の受け付けを操作表示部８１に行わせる。また、第２モードに移行する場合、パネル制御部１２０は、複合機１００に搭載された機能のうち、所定機能を使用するための操作の受け付けのみを操作表示部８１に行わせ、所定機能以外の機能を使用するための操作の受け付けは操作表示部８１に行わせない（機能制限付きログイン）。以下に、具体的に説明する。
【００３１】
まず、複合機１００の使用を所望するユーザーは、認証情報（ユーザー名およびパスワード）を予め登録しなければならない。このため、パネル制御部１２０は、認証情報の入力を受け付けるための画面（図示せず）を操作表示部８１に表示させ、入力された認証情報を登録する（記憶部１２２に記憶させる）。
【００３２】
認証情報を登録した後、パネル制御部１２０は、アイコン登録画面ＰＳ３（図６参照）を操作表示部８１に表示させる。アイコン登録画面ＰＳ３は、複数のアイコン９を配した画面であり、それら複数のアイコン９から登録するアイコン９の選択を受け付けるための画面である。このアイコン登録画面ＰＳ３において複数のアイコン９のうちいずれかのアイコン９を選択する操作が行われると、パネル制御部１２０は、選択されたアイコン９を認証情報としてのユーザー名に対応付けて記憶部１２２に記憶させる。なお、アイコン９は本発明の「画像」に相当する。以下、認証情報としてのユーザー名に対応付けられるアイコン９を登録アイコン９と称する。
【００３３】
そして、パネル制御部１２０は、ログアウト状態のとき、ログイン画面ＰＳ１（図４参照）を操作表示部８１に表示させる。すなわち、操作表示部８１は、ユーザー認証を受けるユーザーから識別情報（ユーザー名およびパスワード）の入力を受け付ける。
【００３４】
ここで、操作表示部８１は、ログイン画面ＰＳ１にリカバリーキーＫ１４を配する。そして、パネル制御部１２０は、識別情報としてのユーザー名が入力された状態でリカバリーキーＫ１４に対するタッチ操作を検知すると、操作表示部８１に指示し、登録アイコン９を含む複数のアイコン９を選択肢として表示させる。たとえば、操作表示部８１は、登録アイコン９を含む複数のアイコン９を配したアイコン選択画面ＰＳ４（図７参照）を表示する。
【００３５】
このとき、操作表示部８１は、識別情報としてのユーザー名が入力されていれば、識別情報としてのパスワードが入力されているか否かにかかわらず、リカバリーキーＫ１４に対するタッチ操作を受けてアイコン選択画面ＰＳ４を表示する。ただし、操作表示部８１は、ユーザー名が入力されていない状態でリカバリーキーＫ１４に対してタッチ操作が行われた場合、アイコン選択画面ＰＳ４は表示せず、ログイン画面ＰＳ１の表示を続行する。なお、この場合、ユーザー名の入力を促すメッセージを別途表示してもよい。また、ユーザー名が入力されていなければ、たとえば、リカバリーキーＫ１４に対するタッチ操作を無効化させてもよいし、リカバリーキーＫ１４そのものを表示しなくてもよい。
【００３６】
その後、複数のアイコン９のうちいずれかのアイコン９を選択する操作（アイコン選択操作）が行われ、その選択されたアイコン９が登録アイコン９であれば、パネル制御部１２０は、第１モードまたは第２モードに移行する条件（所定条件）が満たされたと判定する。すなわち、パネル制御部１２０は、操作表示部８１に指示し、第１モードおよび第２モードのうち予め設定されたモードに移行させる。
【００３７】
なお、アイコン選択操作というのは、複数のアイコン９のうち選択したいアイコン９をタッチし、その後、アイコン選択画面ＰＳ４の確定キーＫ４１（ＯＫキー）をタッチする操作のことである。また、アイコン選択画面ＰＳ４にはキャンセルキーＫ４２も配されており、このキャンセルキーＫ４２をタッチする操作（キャンセル操作）を行うと、アイコン選択画面ＰＳ４を閉じることができる。
【００３８】
第１モードに移行した場合、記憶部１２２は、現時点で入力されているユーザー名に対応するパスワードをリセットする。そして、操作表示部８１は、再登録するパスワードの入力を受け付けるための再登録画面ＰＳ５（図８参照）を表示する。再登録画面ＰＳ５には、入力済みのパスワードが表示される入力欄Ｃ５１およびＣ５２や、キーボード画面ＰＳ２（図５参照）を表示するためのキーＫ５１およびＫ５２が配される。なお、パスワードを再登録する場合には、再登録するパスワードを入力し、そのパスワードと同じパスワードを確認用に再度入力しなければならない。仮に、最初に入力したパスワードと確認用のパスワードとが異なっていれば、パスワードの再登録は行われない。
【００３９】
また、再登録画面ＰＳ５には、再登録キーＫ５３（ＯＫキー）が配される。そして、パネル制御部１２０は、新たなパスワードを入力して再登録キーＫ５３をタッチする操作（再登録操作）が行われると、新たに入力されたパスワードを現時点で入力されているユーザー名に対応するパスワードとして再登録する（記憶部１２２に記憶させる）。なお、再登録画面ＰＳ５にはキャンセルキーＫ５４が配されており、このキャンセルキーＫ５４をタッチする操作（キャンセル操作）を行うと、再登録画面ＰＳ５を閉じることができる。
【００４０】
また、第２モードに移行した場合、操作表示部８１は、たとえば、複合機１００に搭載された機能のうち、コピー機能を使用するための操作のみを受け付け、コピー機能以外の機能（ファックス機能など）を使用するための操作は受け付けない。一例を挙げると、第２モードにおいて操作表示部８１が受け付ける操作としては、コピージョブを開始するための操作や、コピージョブに関する設定値を設定変更するための操作などがある。なお、コピージョブに関する設定値を設定変更するための操作というのは、用紙選択、縮小／拡大、濃度、両面／分割、ページ集約および原稿サイズなど複数種の設定項目のいずれかの設定値をデフォルト値から所望値に変更するための操作である。また、第２モードにおいて操作表示部８１が受け付けない操作としては、ファックスジョブを開始するための操作や、通信履歴（通信先の情報など）を表示したり印刷したりするための操作や、アドレス帳を表示したり印刷したりするための操作などがある。
【００４１】
ところで、第１モードおよび第２モードのうちいずれのモードに移行するかは設定変更可能である。たとえば、パネル制御部１２０は、第１モードキーＫ６１および第２モードキーＫ６２を配したモード設定画面ＰＳ６（図９参照）を操作表示部８１に表示させ、第１モードキーＫ６１に対してタッチ操作が行われると、第１モードを設定モードとして記憶部１２２に記憶させる一方、第２モードキーＫ６２に対してタッチ操作が行われると、第２モードを設定モードとして記憶部１２２に記憶させる。そして、パネル制御部１２０は、ユーザー名が入力されているとき、所定条件が満たされると、第１モードおよび第２モードのうち設定モードとして記憶部１２２に記憶されたモードに移行する。なお、第１モードおよび第２モードのうちいずれのモードに移行するかの設定は、たとえば、複合機１００の管理者がログインしたときのみ行える。
【００４２】
以下に、図１０および図１１に示すフローチャートを参照し、ユーザー認証を行うときの制御の流れについて説明する。なお、図１０および図１１に示すフローチャートのスタートは、複合機１００が起動したとき（ログアウト状態のとき）である。あるいは、複合機１００がログイン状態からログアウト状態になったときである。
【００４３】
ステップＳ１において、パネル制御部１２０は、識別情報（ユーザー名およびパスワード）の入力を受け付けるためのログイン画面ＰＳ１（図４参照）を操作表示部８１に表示させる。これにより、ユーザーにより識別情報が入力される。続いて、ステップＳ２において、パネル制御部１２０は、ユーザー認証の実行指示を受けたか否か、すなわち、ログインキーＫ１３（図４参照）に対してタッチ操作が行われたか否かを判断する。その結果、ログインキーＫ１３に対するタッチ操作が有れば、ステップＳ３に移行する。
【００４４】
ステップＳ３に移行すると、パネル制御部１２０は、ユーザー名の入力が有るか否かを判断し、ユーザー名の入力が有ればステップＳ４に移行する一方、ユーザー名の入力が無ければステップＳ１に移行する。ステップＳ４に移行すると、パネル制御部１２０は、パスワードの入力が有るか否かを判断し、パスワードの入力が有ればステップＳ５に移行する一方、パスワードの入力が無ければステップＳ１に移行する。
【００４５】
ステップＳ５に移行すると、パネル制御部１２０は、識別情報と認証情報とに基づきユーザー認証を行う。そして、ステップＳ６において、パネル制御部１２０は、ユーザーを特定できるか否かを判断し、ユーザーを特定できれば（認証できれば）ステップＳ７に移行する一方、ユーザーを特定できなければステップＳ１に移行する。ステップＳ７に移行すると、パネル制御部１２０は、操作パネル８をログイン状態にする（通常ログイン）。
【００４６】
また、ステップＳ２において、ログインキーＫ１３（図４参照）に対するタッチ操作が無いと判断した場合には、ステップＳ８に移行する。ステップＳ８に移行すると、パネル制御部１２０は、リカバリーキーＫ１４（図４参照）に対してタッチ操作が行われたか否かを判断する。その結果、リカバリーキーＫ１４に対するタッチ操作が有れば、ステップＳ９に移行し、リカバリーキーＫ１４に対するタッチ操作が無ければ、ステップＳ２に戻る。
【００４７】
ステップＳ９に移行すると、パネル制御部１２０は、ユーザー名の入力が有るか否かを判断し、ユーザー名の入力が有ればステップＳ１０に移行する一方、ユーザー名の入力が無ければステップＳ１に移行する。ステップＳ１０に移行すると、パネル制御部１２０は、所定条件が満たされたか否かを判定するための処理を行う（条件満足判定処理）。そして、ステップＳ１１において、パネル制御部１２０は、所定条件が満たされたか否かを判断し、所定条件が満たされていればステップＳ１２に移行する一方、所定条件が満たされていなければステップＳ１に移行する。
【００４８】
ステップＳ１２に移行すると、パネル制御部１２０は、設定モードが第１モードか否かを判断する。その結果、設定モードが第１モードであれば、ステップＳ１３に移行する。ステップＳ１３に移行すると、パネル制御部１２０は、記憶部１２２に記憶されたパスワード（現時点で入力されているユーザー名に対応するパスワード）をリセットする。そして、ステップＳ１４において、パネル制御部１２０は、再登録画面ＰＳ５（図８参照）を操作表示部８１に表示させる。すなわち、操作表示部８１は、再登録するパスワードの入力を受け付ける。
【００４９】
続いて、ステップＳ１５において、パネル制御部１２０は、再登録操作が行われたか否かを判断する。すなわち、パネル制御部１２０は、新たなパスワードが入力された後、再登録キーＫ５３（図８参照）がタッチされたか否かを判断する。その結果、再登録操作が有れば、ステップＳ１６に移行する。ステップＳ１６に移行すると、パネル制御部１２０は、現時点で入力されているユーザー名に対応するパスワードとして、新たに入力されたパスワードを再登録する（記憶部１２２に記憶させる）。その後、ステップＳ１に移行する。
【００５０】
なお、ステップＳ１５において、再登録操作が無いと判断した場合には、ステップＳ１７に移行する。ステップＳ１７に移行すると、パネル制御部１２０は、キャンセル操作が行われたか否かを判断する。すなわち、パネル制御部１２０は、キャンセルキーＫ５４（図８参照）がタッチされたか否かを判断する。その結果、キャンセル操作が有れば、パスワードの再登録は行わずにステップＳ１に移行し、キャンセル操作が無ければ、ステップＳ１５に戻る。
【００５１】
また、ステップＳ１２において、設定モードが第１モードでない場合（設定モードが第２モードである場合）には、ステップＳ１８に移行する。ステップＳ１８に移行すると、パネル制御部１２０は、複合機１００に搭載された機能のうち、所定機能を使用するための操作の受け付けのみを操作表示部８１に行わせ、所定機能以外の機能を使用するための操作の受け付けは操作表示部８１に行わせない（機能制限付きログイン）。
【００５２】
次に、図１２を参照し、図１０および図１１のフローチャートのステップＳ１０において行う条件満足判定処理の流れについて説明する。なお、図１２のフローチャートは、ログイン画面ＰＳ１のリカバリーキーＫ１４に対してタッチ操作が行われ、その時点でユーザー名が入力されていればスタートする。
【００５３】
ステップＳ２１において、パネル制御部１２０は、登録アイコン９を含む複数のアイコン９を選択肢として配したアイコン選択画面ＰＳ４（図７参照）を操作表示部８１に表示させる。そして、ステップＳ２２において、パネル制御部１２０は、アイコン選択操作が行われたか否か（複数のアイコン９のうちいずれかのアイコン９が選択されたか否か）を判断する。すなわち、パネル制御部１２０は、アイコン選択画面ＰＳ４内の複数のアイコン９のうちいずれかのアイコン９がタッチされた後、確定キーＫ４１（図７参照）がタッチされたか否かを判断する。その結果、アイコン選択操作が有れば、ステップＳ２３に移行する。
【００５４】
ステップＳ２３に移行すると、パネル制御部１２０は、選択されたアイコン９が登録アイコン９であるか否かを判断する。その結果、選択されたアイコン９が登録アイコン９であれば、ステップＳ２４に移行し、選択されたアイコン９が登録アイコン９でなければ、ステップＳ２５に移行する。そして、ステップＳ２４に移行した場合には、パネル制御部１２０は所定条件が満たされたと判定し、ステップＳ２５に移行した場合には、パネル制御部１２０は所定条件が満たされていないと判定する。
【００５５】
また、ステップＳ２２において、アイコン選択操作が無いと判断した場合には、ステップＳ２６に移行する。ステップＳ２６に移行すると、パネル制御部１２０は、キャンセル操作が行われたか否かを判断する。すなわち、パネル制御部１２０は、キャンセルキーＫ４２（図７参照）がタッチされたか否かを判断する。その結果、キャンセル操作が有れば、ステップＳ２５に移行し、パネル制御部１２０は、所定条件が満たされていないと判定する。一方で、ステップＳ２６において、キャンセル操作が無いと判断した場合には、ステップＳ２２に戻る。
【００５６】
本実施形態の操作パネル８（表示入力装置）は、上記のように、複合機１００（画像形成装置）に設置されるものであって、ユーザー名（ユーザー情報）およびパスワードを含む予め登録された情報でありユーザー認証を行うための情報である認証情報を記憶する記憶部１２２と、ユーザー名およびパスワードを含む識別情報の入力を受け付けるためのログイン画面ＰＳ１（受付画面）を表示し、ユーザー認証を受けるユーザーから識別情報の入力を受け付ける操作表示部８１と、操作表示部８１に識別情報が入力されると、識別情報と認証情報とに基づきユーザー認証を行い、認証できたユーザーに複合機１００の使用許可を与えるパネル制御部１２０（認証部）と、を備える。そして、記憶部１２２は、予め登録された所定条件をユーザー名に対応付けて記憶し、操作表示部８１は、ユーザー名が入力されているとき、その入力されたユーザー名に対応する所定条件が満たされると、パスワードを再登録するための操作を受け付ける第１モード、および、複合機１００に搭載された機能のうち所定機能を使用するための操作は受け付ける一方で所定機能以外の機能を使用するための操作は受け付けない第２モード、のうち予め設定されたモードに移行する。
【００５７】
本実施形態の構成では、複合機１００を使用するとき（ユーザー認証を受けるとき）、パスワードを入力しなくても、ユーザー名を入力し、そのユーザー名に対応付けられた所定条件を満たす操作を行うことにより、操作表示部８１が第１モードまたは第２モードに移行する。したがって、パスワードを忘れても、複合機１００の管理者にパスワードの再発行を依頼することなく、複合機１００を使用することができる。具体的には、第１モードに移行した場合には、ユーザー自身でパスワードを再登録することができるので、その再登録したパスワードでユーザー認証を再度受けることにより、複合機１００に搭載された全ての機能の使用が可能になる。また、第２モードに移行した場合には、複合機１００に搭載された機能のうち所定機能の使用が可能になる。これにより、パスワードを忘れたユーザーの利便性が向上する。
【００５８】
また、本実施形態では、上記のように、記憶部１２２は、予め登録された登録アイコン９（登録画像）をユーザー名に対応付けて記憶する。そして、操作表示部８１は、登録アイコン９を含む複数のアイコン９（画像）を選択肢として表示し、ユーザー名が入力された状態で登録アイコン９を選択する操作が行われると、所定条件が満たされたとして、第１モードおよび第２モードのうち予め設定されたモードに移行する。このように構成すれば、パスワードを忘れても、簡単な操作（ユーザー自身が登録した登録アイコン９を選択する操作）を行うだけで、第１モードまたは第２モードに移行することができる。また、登録アイコン９は登録したユーザーしか知り得ないので、セキュリティーレベルは維持される（他のユーザーが不正にログインするのを抑制することができる）。
【００５９】
また、本実施形態では、上記のように、操作表示部８１は、ログイン画面ＰＳ１の表示中に、ログイン画面ＰＳ１からアイコン選択画面ＰＳ４に表示を切り替えるための操作を受け付ける（ログイン画面ＰＳ１にリカバリーキーＫ１４を配する）。このように構成すれば、パスワードを忘れた場合に、容易に、アイコン選択画面ＰＳ４を表示させることができる。
【００６０】
また、本実施形態では、上記のように、操作表示部８１は、第１モードおよび第２モードのうち所定条件が満たされたときに移行するモードを設定するための操作を受け付ける。また、記憶部１２２は、第１モードおよび第２モードのうち操作表示部８１が受け付けたモードを設定モードとして記憶する。そして、操作表示部８１は、所定条件が満たされたとき、第１モードおよび第２モードのうち設定モードとして記憶部１２２に記憶されたモードに移行する。このように構成すれば、第１モードおよび第２モードのうち所定条件が満たされたときに移行するモードを任意に設定することができる。たとえば、第１モードに移行するよう設定しておけば、予め認証情報を登録していないユーザー（複合機１００の使用権限が無いユーザー）に複合機１００が不正使用されるのを抑制することができる。また、第２モードに移行するよう設定しておけば、複合機１００に搭載された機能のうち所定機能についてはパスワードを再登録することなく直ちに使用することができるようになり、所定機能の使用を所望するユーザーにとっては利便性が良い。
【００６１】
なお、条件満足判定処理の別形態として、以下に説明するような条件満足判定処理を行ってもよい。
【００６２】
この実施形態では、予め登録されたタッチジェスチャー（タッチパネル８３に対するタッチ操作）が認証情報としてのユーザー名に対応付けられ、記憶部１２２に記憶される。たとえば、任意の記号（文字および数字）や図形を描くようなタッチジャスチャーが予め登録される。以下、認証情報としてのユーザー名に対応付けられるタッチジェスチャーを登録タッチジャスチャーと称する。
【００６３】
そして、パネル制御部１２０は、識別情報としてのユーザー名が入力された状態でリカバリーキーＫ１４（図４参照）に対するタッチ操作を検知すると、操作表示部８１に指示し、登録タッチジェスチャーを受け付けるためのタッチジャスチャー受付画面（図示せず）を表示させる。たとえば、タッチジャスチャー受付画面には、登録タッチジェスチャーを行うよう促すメッセージが表示される。
【００６４】
なお、操作表示部８１は、ユーザー名が入力されていれば、パスワードが入力されているか否かにかかわらず、リカバリーキーＫ１４に対するタッチ操作を受けてタッチジャスチャー受付画面を表示する。一方で、操作表示部８１は、ユーザー名が入力されていなければ、リカバリーキーＫ１４に対してタッチ操作が行われても、タッチジェスチャー受付画面を表示しない（たとえば、ユーザー名の入力を促すメッセージを別途表示する）。
【００６５】
その後、タッチパネル８３（タッチジャスチャー受付画面の予め定められた領域内）に対して何らかのタッチジェスチャーが行われ、そのタッチジェスチャーが登録タッチジェスチャーであれば、パネル制御部１２０は、所定条件が満たされたと判定する。すなわち、パネル制御部１２０は、操作表示部８１に指示し、第１モードおよび第２モードのうち予め設定されたモードに移行させる。
【００６６】
以下に、図１３に示すフローチャートに沿って処理の流れを説明する。なお、図１３のフローチャートは、ログイン画面ＰＳ１のリカバリーキーＫ１４に対してタッチ操作が行われ、その時点でユーザー名が入力されていればスタートする。
【００６７】
ステップＳ３１において、パネル制御部１２０は、登録タッチジェスチャーを受け付けるためのタッチジェスチャー受付画面を操作表示部８１に表示させる。そして、ステップＳ３２において、パネル制御部１２０は、タッチパネル８３（タッチジャスチャー受付画面の予め定められた領域内）に対して何らかのタッチジェスチャーが行われたか否かをタッチパネル８３の出力に基づき検知する。その結果、タッチパネル８３に対してタッチジェスチャーが行われたことを検知すれば、ステップＳ３３に移行する。
【００６８】
ステップＳ３３に移行すると、パネル制御部１２０は、検知したタッチジェスチャーが登録タッチジェスチャーであるか否かを判断する。その結果、検知したタッチジェスチャーが登録タッチジェスチャーであれば、ステップＳ３４に移行し、検知したタッチジェスチャーが登録タッチジェスチャーでなければ、ステップＳ３５に移行する。そして、ステップＳ３４に移行した場合には、パネル制御部１２０は所定条件が満たされたと判定し、ステップＳ３５に移行した場合には、パネル制御部１２０は所定条件が満たされていないと判定する。
【００６９】
また、ステップＳ３２において、タッチパネル８３に対してタッチジェスチャーが行われたことを検知していない場合には、ステップＳ３６に移行する。ステップＳ３６に移行すると、パネル制御部１２０は、キャンセル操作が行われたか否かを判断する。その結果、キャンセル操作が有れば、ステップＳ３５に移行し、パネル制御部１２０は、所定条件が満たされていないと判定する。一方で、ステップＳ３６において、キャンセル操作が無いと判断した場合には、ステップＳ３２に戻る。
【００７０】
このように構成した場合には、パスワードを忘れても、簡単な操作（ユーザー自身が登録した登録タッチジェスチャー）を行うだけで、第１モードまたは第２モードに移行することができる。また、登録タッチジェスチャーは登録したユーザーしか知り得ないので、セキュリティーレベルは維持される。
【００７１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７２】
８  操作パネル（表示入力装置）
９  アイコン（画像）
８１  操作表示部
８２  液晶表示パネル（表示部）
８３  タッチパネル
１００  複合機（画像形成装置）
１２０  パネル制御部（認証部）
１２２  記憶部
ＳＰ１  ログイン画面（受付画面）
【図１】
2015069322.tif 000003
【図２】
2015069322.tif 000004
【図３】
2015069322.tif 000005
【図４】
2015069322.tif 000006
【図５】
2015069322.tif 000007
【図８】
2015069322.tif 000008
【図９】
2015069322.tif 000009
【図１０】
2015069322.tif 000010
【図１１】
2015069322.tif 000011
【図１２】
2015069322.tif 000012
【図１３】
2015069322.tif 000013
【図６】
2015069322.tif 000014
【図７】
2015069322.tif 000015